(57)【特許請求の範囲】
【請求項１】
ショーケースにおいて、
該ショーケースをネットワークに接続するネットワーク・インタフェース手段と、
該ショーケースの各種稼働状態の検出結果に基づいて、該ショーケースの稼働状態の正常／異常を判定する異常判定手段と、
該異常判定手段により異常と判定されると、該異常に係わる稼働状態情報をホームページとしてネットワーク上に公開するＷＷＷサーバ手段と、
を有することを特徴とするショーケース。
【請求項２】
ショーケースにおいて、
該ショーケースをネットワークに接続するネットワーク・インタフェース手段と、
ＦＴＰプロトコルにより前記ネットワークを介して外部装置とファイル送受信するＦＴＰサーバ手段と、
各種センサーにより測定される該ショーケースの稼働状態情報をファイルとして前記ＦＴＰサーバ手段により前記外部装置に転送させ、あるいは前記外部装置から送られてくる設定情報ファイルをＦＴＰサーバ手段により受信／格納されると、該設定情報に基づいて各種アクチュエータを制御する制御手段と、
を有することを特徴とするショーケース。
【発明の詳細な説明】
【０００１】
【発明の属する技術分野】
本発明は、店舗等に設置されるショーケースに係わり、特にネットワークを介して遠隔監視・制御することを可能にするショーケースに関する。
【０００２】
【従来の技術】
ショーケース（冷凍・冷蔵ショーケース等）は、スーパーマーケット、コンビニエンス・ストア等の店舗や、食品加工工場等に設置されている。各ショーケースは、それぞれ、温度調節器や防霜用のタイマー等から構成される制御装置によって個別に制御されているのが現状であり、これら温度、除霜時間等の設定作業は、各ショーケースが設置されている場所において個々に行わなければならなかった。そのため、季節や天候等により設定を変更する場合には作業が極めて頻雑となっていた。また、各ショーケースの状況（温度等）を把握したい場合も、同様であり、ショーケースに異常が発生したことを容易に把握して迅速に対処することは難しかった。
【０００３】
このようなショーケースの現状に対して、例えば特開平１０−２８１６１７号公報、特開平１０−２７４４６１号公報（以下、まとめて、先行技術という）に記載の方法がある。
【０００４】
これら先行技術では、各店舗毎に（警備室等に）中央管理装置を設けており、この中央管理装置は、各ショーケースからのデータを収集し、また公衆回線を介して遠隔管理装置（センター側）とのデータ授受を可能としている。または、同じく警備室等に設置される主制御装置が、公衆回線を介して遠隔管理装置（センター）とのデータ授受を可能としている。そして、これにより、遠隔管理装置（センター）側において、各店舗のショーケースの状況（温度等）を知ることができ、また異常発生の警報等が通知された場合には、携帯端末等を用いて巡回中のサービスマンに通知することができる。
【０００５】
【発明が解決しようとする課題】
上述した先行技術では、遠隔管理装置（センター）において、ネットワーク（公衆回線）を介して、各店舗のショーケースの状況を一括監視することができる。
【０００６】
しかしながら、上記先行技術では、各店舗の中央管理装置（または主制御装置）は、特定の装置（遠隔管理装置）とのデータ授受は行えるが、任意の端末との通信を行えるものではなかった（携帯端末との通信は遠隔管理装置が行う）。このようなシステムでは、通常、センタ装置（遠隔管理装置）側に、中央管理装置等とのデータ授受の為の専用のソフトウェアを搭載したコンピュータが必要である。
【０００７】
また、上記先行技術では、設定作業が行われた場合に変更後の設定値を遠隔管理装置（センター）に通知することは行っているが、遠隔管理装置（センター）から遠隔設定制御することはできなかった。
【０００８】
本発明の課題は、汎用のツールの機能を利用して、ネットワークを介して任意の端末によりショーケースの異常発生／稼働状態を知ることができ、またネットワークを介して外部の装置から各ショーケースを遠隔制御することが可能となるショーケースを提供することである。
【０００９】
【課題を解決するための手段】
本発明のよる第１のショーケースは、ショーケースをネットワークに接続するネットワーク・インタフェース手段と、該ショーケースの各種稼働状態の検出結果に基づいて、該ショーケースの稼働状態の正常／異常を判定する異常判定手段と、該異常判定手段により異常と判定されると、異常発生を通知する電子メールを作成し、該電子メールを前記ネットワーク・インタフェース手段を介して送信するメール作成／送信制御手段と、を有する。
【００１０】
上記第１のショーケースは、例えば更に、異常の種類に応じて予め作成される各電文を異常の種類に対応付けて格納する電文格納手段と、前記電子メールの送信先のアドレスを格納するアドレス格納手段とを有し、前記メール作成／送信制御手段は、前記異常判定手段により判定された異常の種類に対応する電文を前記電文格納手段から取り出し、該電文を用いて前記アドレス格納手段に格納されているアドレス宛の電子メールを作成／送信する。
【００１１】
上記第１のショーケースによれば、ショーケースの稼働状況に異常があった場合、異常が生じた旨、更には異常の内容を知らせる電子メールを、自動的に作成して、ネットワークを介して外部の任意の情報処理端末に通知することができる。特に専用の装置でなくても、電子メールを受信できる情報処理端末があれば（メールアドレスを登録してあれば）、異常発生を知ることができる。
【００１２】
本発明のよる第２のショーケースは、ショーケースをネットワークに接続するネットワーク・インタフェース手段と、該ショーケースの各種稼働状態の検出結果に基づいて、該ショーケースの稼働状態の正常／異常を判定する異常判定手段と、該異常判定手段により異常と判定されると、該異常に係わる稼働状態情報をホームページとしてネットワーク上に公開するＷＷＷサーバ手段と、を有する。
【００１３】
あるいは、ショーケースをネットワークに接続するネットワーク・インタフェース手段と、該ショーケースの各種稼働状態情報を、ホームページとしてネットワーク上に公開するＷＷＷサーバ手段と、を有する。
【００１４】
上記第２のショーケースによれば、汎用のブラウザを搭載した任意の情報処理端末があれば、各ショーケースの稼働状態等を遠隔監視することができる。
本発明のよる第３のショーケースは、ショーケースをネットワークに接続するネットワーク・インタフェース手段と、前記ネットワークを介してブラウザ搭載の外部装置から所定の条件を満たすアクセスがあった場合、該ショーケースの各種アクチュエータの設定値入力用画面を該ブラウザに表示させて、該ブラウザ表示画面上で入力される設定値により前記各種アクチュエータの設定値を更新するＷＷＷサーバ手段と、該ＷＷＷサーバ手段に格納される設定値を用いて前記各種アクチュエータを制御する制御手段と、を有する。
【００１５】
上記第３のショーケースによれば、汎用のブラウザを搭載した任意の情報処理端末があれば、各ショーケースを遠隔制御することができる。
本発明のよる第４のショーケースは、ショーケースをネットワークに接続するネットワーク・インタフェース手段と、ＦＴＰプロトコルにより前記ネットワークを介して外部装置とファイル送受信するＦＴＰサーバ手段と、各種センサーにより測定される該ショーケースの稼働状態情報をファイルとして前記ＦＴＰサーバ手段により前記外部装置に転送させ、あるいは前記外部装置から送られてくる設定情報ファイルをＦＴＰサーバ手段により受信／格納されると、該設定情報に基づいて各種アクチュエータを制御する制御手段と、を有する。
【００１６】
上記第４のショーケースによれば、ＦＴＰプロトコルを解する機能を有する情報処理端末があれば、ファイル転送により、各ショーケースを遠隔監視・制御することができる。また、各種情報をファイルとして相互に送受信するので、管理が容易である。
【００１７】
【発明の実施の形態】
以下、図面を参照して、本発明の実施形態について説明する。
尚、本実施形態の説明における「ショーケース」とは、ショーケースの各種状態を検知するセンサー、調節機器、及びこれらを制御してショーケース内の状態（温度、湿度、霜等の状態）を管理する制御装置をも含むものである。
【００１８】
また、実施形態の説明では、冷凍・冷蔵ショーケースを例にして説明するが、本発明は、これに限るものではなく、温度等の管理を行う制御装置を有するショーケース全般に適用される。
【００１９】
図１は、本発明の第１の実施例を説明する為のシステム構成図である。
第１の実施例では、ショーケース側で異常を検知した場合に、ネットワークを介して、任意の（予め電子メールアドレス等が登録されている）情報処理装置に対して、電子メールにより異常発生を通知する。
【００２０】
図１において、各冷凍・冷蔵ショーケース１０は、ネットワークインタフェース部１１、制御部１２、温度センサー１３、圧力センサー１４、風速センサー１５等を有する。
【００２１】
各冷凍・冷蔵ショーケース１０は、ネットワークインタフェース部１１によりネットワーク１に接続している。ネットワーク１は、例えば公衆回線網、専用線網（ＬＡＮ等）、ＰＨＳ／携帯電話網、無線通信ネットワーク等である。ネットワークインタフェース部１１は、これらネットワークに接続して外部の情報処理装置２と通信可能にする構成であればよく、例えば公衆回線網の場合はモデム等である。
【００２２】
尚、上記外部の情報処理装置２とは、ショーケースの管理会社、修理会社等のセンターに設置されている装置であってもよいし、それ以外の任意の情報処理端末であってもよい。ネットワーク１を介して電子メールを受信できる情報処理端末であって、その電子メールアドレス等が予めショーケース側に登録されていれば（後述する）、特に制限なく「異常発生」の通知を受けることができる。
【００２３】
制御部１２は、温度センサー１３、圧力センサー１４、風速センサー１５等により測定される温度、ガス圧力、風速（冷気の流れ）等のデータに基づいて、当該冷凍・冷蔵ショーケース１０の稼働状態の異常／正常を判断する。異常判定方法は、例えば設定温度と温度センサー１３による測定温度との温度差（絶対値）が、所定値（例えば３℃）以上ある状態が所定時間（例えば２時間）以上継続した場合に、異常と判断する。あるいは、圧力センサー１４で測定したガス圧力が、規定圧力以下に低下した場合、異常と判断する（ガス漏れの検出）。また、例えばゴミや多量の着霜等により冷気の流れが悪くなったことを風速センサー１５の測定結果に基づいて判断する（冷却異常を起こす原因となる）。
【００２４】
制御部１２は、上記の様にして異常と判断した場合、ネットワーク１に接続している外部の装置２に対して「異常発生」を知らせる為の電子メールを自動的に作成して、ネットワークインタフェース部１１を介して送信する。
【００２５】
図２は、電子メールの自動作成／送信について説明する為の図である。
同図に示すように、電子メールの内容は、例えば予めユーザ等が各種異常に各々対応した文章を作成しておき、また各文章にメール送信条件を設定し、これを制御部１２内の不図示のメモリ等に格納しておく。メール送信条件は、例えば同図に示すように、“温度異常検出”、“ガス圧力異常検出”等である。
【００２６】
制御部１２は、上記異常判定処理により何等かの異常発生を検出し、電子メール自動作成／送信処理に移ると、上記各メール送信条件をチェックして、有効（条件＝真）となる場合、その文章を電子メールの電文内容とする。
【００２７】
あるいは、電子メールの内容の一部を、状態に応じて自動的に編修してメール送信するようにしてもよい。例えば「温度異常です。装置温度○○です。」という基本電文を予め設定／登録しておき、温度異常と判断した場合にそのときの測定温度を上記基本電文の“○○”の部分に入れて文章を完成させるようにしてもよい。
【００２８】
また、送信先の外部装置２の電子メールアドレス等も、予め設定／登録しておき、これを電子メールの宛先とする。
制御部１２は、上述したことより、異常発生と判断すると、上記予め登録されている文章の中から異常の種類（温度、圧力、風速等）に対応した文章（メール送信条件＝“真”の文章）を電文内容とし、予め登録されている上記送信先の電子メールアドレスを宛先とする電子メールを自動的に作成し、この電子メールをネットワーク１上に送出する。これより、ネットワーク１に接続して電子メール受信可能な機能を有する情報処理端末であれば、上記電子メールアドレスを設定しておくことで、「異常発生」状況が知らされることになる。各ショーケース毎に、任意の情報処理端末に、直接、「異常発生」を通知することができる。
【００２９】
尚、上記電文の内容や電子メールアドレスは変更可能であり、また電子メールアドレスは複数登録するようにしてもよい。これより、例えば、ショーケースの管理会社、修理業務者、そのショーケースを設置している店舗の店主の自宅等の情報処理端末に各々「異常発生」を知らせることができる。あるいは、異常の種類に応じて「異常発生」を知らせるべき宛先を変える必要がある環境である場合には、異常の種類に応じて各々電子メールアドレスを登録しておくようにしてもよい。また、（電子メール受信可能な無線通信機能付き携帯端末等を所持する）巡回中のサービスマンに通知するようにしてもよい。この場合、例えば、各サービスマンの巡回スケジュールを予め登録しておき、「異常発生」を検知した日時に巡回中のサービスマンを判断してその携帯端末に「異常発生」を知らせるようにしてもよい。
【００３０】
図３は、上記ネットワーク１が公衆回線網１ａである場合の例を示す図である。同図に示すショーケースの構成は、図１に示す構成と略同一であり、同一符号を付し、説明は省略する。
【００３１】
上述した第１の実施例の冷凍・冷蔵ショーケース１０によれば、ショーケースに何等かの異常が生じたことを検知すると、直ちに、電子メール受信可能な任意の情報処理端末に対して、自動的に作成／送信する電子メールにより、「異常発生」を知らせることができる。専用の装置を備えるセンター装置を必要とすることなく、電子メールを受信可能な任意の情報処理端末に、「異常発生」を知らせることができる。
【００３２】
次に、以下、図４、図５を参照して、第２の実施例について説明する。
図４は、第２の実施例によるショーケースの構成の一例を示す図である。
尚、図４以降では、ショーケースの構成のみ図示し、ネットワーク１、外部の装置２については特に図示しない。
【００３３】
同図に示す冷凍・冷蔵ショーケース２０は、ネットワークインタフェース部２１、制御部２２、温度センサー２３、圧力センサー２４、風速センサー２５、及びHttp Server 部２６等を有する。
【００３４】
ネットワークインタフェース部２１、温度センサー２３、圧力センサー２４、及び風速センサー２５は、図１のネットワークインタフェース部１１、温度センサー１３、圧力センサー１４、及び風速センサー１５と略同様であり、その説明は省略する。
【００３５】
Http Server 部２６は、例えば、Ｗｅｂサーバー・ソフトウェア（ＨＴＴＰＤ）が実装され、ＨＴＭＬ文書（及び画像等の関連ファイル）形式の情報をサポートし、Ｗｅｂ（ＷＷＷ）ブラウザからの情報要求に応答する機能等を有し、所謂Ｗｅｂ（ＷＷＷ）サーバーとしての機能の提供するものである。第３の実施例のショーケースによれば、このＷｅｂ（ＷＷＷ）サーバの一般的に知られている機能を利用して各ショーケース毎にホームページを開設することにより、Ｗｅｂブラウザを持つ任意の情報処理端末からこのホームページを参照することができる。
【００３６】
ホームページの内容は、例えば、各ショーケースの温度、ガス圧力、風速等の測定データである。すなわち、制御部２２は、各センサー（温度センサー２３、圧力センサー２４、風速センサー２５等）による測定値に基づいて、上記第１の実施例で説明したように異常発生の有無を判断し、異常発生と判断した場合、そのときの測定データをHttp Server 部２６に格納させる。その際、これら測定データは、例えば後述する図５のように表示されるように整理され、またネットワークにおいて提供される情報を記述する際に通常用いられるデータ形式（例えば、ＨＴＭＬ（HyperText Markup Language ））に加工処理される。これより、上記測定データは所謂“ホームページ”としてネットワーク上に公開される。尚、その為には、予め、ネットワークにおいて当該装置を特定する為の識別子（例えばインターネットの場合はＩＰアドレス）を取得しておく必要がある。
【００３７】
これより、ネットワーク情報閲覧ソフトウェア（例えば市販されている所謂“Ｗｅｂ（ＷＷＷ）ブラウザ”等）を搭載している情報処理端末があれば、そのユーザは、必要に応じて上記ブラウザ等を起動して、上記識別子（ＩＰアドレス等）を用いて所望のショーケースのＷｅｂサーバーにアクセスしてそのホームページの内容を表示させることができる。勿論、そのユーザ端末には、自己が管理すべき全てのショーケースのアドレスを登録しておいたほうがよい。尚、これは、別の側面から言えば、管理すべき新たなショーケースが増えても、ユーザ端末側では基本的にそのショーケースのアドレスを登録するだけで済み、手間が掛らない。但し、情報の安全の観点からは、上記ホームページの情報を閲覧（あるいは後述する設定変更）する為には、予め特定のユーザ端末にユーザ名、パスワード等が割り当てられ、情報読み出し／書込み許可等を得ていることが必要であるようにすることが望ましい。
【００３８】
尚、上記「必要に応じて」とは、例えば上記第１の実施例による「異常発生」を知らせる電子メールが届いたときである。
あるいは、異常発生時に限らず、定期的に（例えば５分間隔）上記測定データを収集してホームページの内容を更新するようにしてもよい。これより、例えばショーケースの管理会社のセンター装置等において常時各ショーケースの状態をモニターすることも考えられる。
【００３９】
尚、Http Server 部５１のハードウェア構成については、特に言及しないが、特に最近になってＲＯＭ、ＲＡＭ、ＣＰＵ等から成る構成の小型装置でＷｅｂサーバーの機能を提供できるものが開発されており、各ショーケースにおいて特にスペースをとることなく設けることができる。
【００４０】
上述したように、第２の実施例のショーケースによれば、各ショーケースまで直接出向かなくても、ブラウザ機能を搭載した情報処理端末から各ショーケースをリモート監視することができるようになる。
【００４１】
図５は、上記ブラウザによる表示画面の一例を示す図である。
同図には、各ショーケースの庫内温度、ガス圧力、及び警報の有無が、同図に示すようなレイアウトで表示される例を示しているが、勿論これは一例であり、上述した測定データを整理してＨＴＭＬデータ形式に加工する処理において、所望のデータ／レイアウトで表示されるようにプログラムしておけば、様々な表示が行える。
【００４２】
次に、以下、図６、図７を参照して、第３の実施例について説明する。
図６は、第３の実施例によるショーケースの構成の一例を示す図である。
同図に示す冷凍・冷蔵ショーケース３０は、ネットワークインタフェース部３１、制御部３２、Http Server 部３３、及びアクチュエータ３４等を有する。
【００４３】
アクチュエータ３４は、冷凍・冷蔵ショーケースにおける既存の構成であり、例えば膨張弁、霜取り用ヒータ、照明、コンプレッサモータ等である。
Http Server 部３３には、これら各種アクチュエータ３４を制御する為の設定値が格納され、制御部３２はこれら設定値に従ってアクチュエータ３４を制御する。
【００４４】
第３の実施例では、ネットワークに接続される外部の装置２から上記設定値を変更できるようにすることで、各ショーケースを遠隔制御できるようにする。
本実施形態のショーケースは、ＷＷＷサーバの機能を備えているので、ＷＷＷブラウザを搭載した装置２から、各種設定を行うことが可能である。尚、これには例えばＣＧＩの機能が利用される。
【００４５】
図７は、ショーケース設定画面の一例を示す図である。
外部の装置２においてブラウザを起動して、所望のショーケースにアクセスすると、例えば「閲覧」／「設定」ボタン等を有する選択画面が表示され、マウス等で「設定」ボタンを選択すると、ユーザ名、パスワード等の入力画面が表示される。例えば予めショーケースのアクチュエータの制御情報を設定するが許されている特定のユーザが、この画面上でユーザ名、パスワードを入力すると、そのショーケースのアクチュエータの制御情報の設定が可能となる。例えば上記ユーザ名、パスワードを入力すると、図７に示すブラウザ画面４０（ショーケース設定画面）が表示される。尚、ショーケースの稼働状況等を「閲覧」する場合は、ユーザ名、パスワードを入力する必要なく誰でも自由に閲覧できるようにしてもよいし、あるいは「設定」の場合と同様にユーザ名、パスワードを入力しなければ閲覧できないようにしてもよい。
【００４６】
外部の装置２のユーザは、図７に示すようなショーケース設定画面が表示されると、図上に点線で示す枠内に所望の設定値を入力する。尚、同図には、ショーケースの庫内温度及びその時間帯の設定を行える設定画面を例示しているが、勿論これに限るものではなく、図６の各種アクチュエータ３４を制御する為の様々な設定値が入力できるようにしてもよい。
【００４７】
このようにして設定入力が行われると、Http Server 部３３には新たな設定値が格納／更新される。そして、制御部３２は、Http Server 部３３に格納されている設定値を用いて、各種アクチュエータ３４を制御する。
【００４８】
尚、ブラウザ側からは、アクチュエータの設定に限らず、例えば第１の実施例で説明した電子メールに関して、イベントに応じた電子メール電文の内容が設定できる構成としてもよい。
【００４９】
上述したように、第３の実施例のショーケースによれば、各ショーケースまで直接出向かなくても、ブラウザ機能を搭載した情報処理端末から各ショーケースをリモート監視・制御することができるようになる。
【００５０】
次に、以下、図８を参照して、第４の実施例について説明する。
図８は、第４の実施例によるショーケースの構成の一例を示す図である。
同図に示す冷凍・冷蔵ショーケース５０は、ネットワークインタフェース部５１、制御部５２、温度センサー５３、圧力センサー５４、風速センサー５５、アクチュエータ５６、及びFTP Server部５７等を有する。
【００５１】
ネットワークインタフェース部５１、温度センサー５３、圧力センサー５４、風速センサー５５、アクチュエータ５６については、上述した他の実施例における構成と略同様であるので、詳しい説明は省略する。
【００５２】
FTP Server部５７は、ショーケース５０にＦＴＰ（File Transfer Protocol）を解する機能を提供する構成であり、これより例えばインターネットに接続していれば、所謂“ｆｔｐコマンド”を使用してファイル転送することができる（例えばショーケース５０にＦＴＰサーバ・ソフトウェアを実装する）。尚、ファイル転送先の端末（インターネットに接続している外部の情報処理装置２）にもＦＴＰを解する為の機能が必要である。また、FTP Server部５７には、ファイル転送先を指定する為の情報（リモート・マシン名等）が予め設定／登録されている。
【００５３】
上記構成により、制御部５２が、温度センサー５３、圧力センサー５４、風速センサー５５等の各種センサーによる測定値に基づいて、第１の実施例で説明したようにして異常発生を判定した場合、FTP Server部５７により異常／稼働情報等をファイルとして例えばセンター等に設置されている情報処理装置２に転送することで、異常発生を知らせると共にそのときのショーケースの状況を知らせることができる。
【００５４】
また、センター等に設置されている情報処理装置２が、ショーケース５０に対して、各種設定情報をファイルとして転送することで、FTP Server部５７がこのファイルを受信／格納し、制御部５２がこのファイルを解読して、新たな設定値に応じて各種アクチュエータ５６を制御するようにもできる。
【００５５】
このように第４の実施例によれば、ファイル転送により、各ショーケースを遠隔監視・制御することができる。また、各種情報をファイルとして相互に送受信するので、管理が容易である。
【００５６】
【発明の効果】
以上、詳細に説明したように、本発明によるショーケースによれば、ショーケースに何等かの異常が発生した場合等に、異常発生及び異常の内容を知らせる電子メールを自動的に作成し、任意の宛先に通知することができる。また、近年急速に普及しているネットワーク環境で利用されている汎用の閲覧用ソフトウェアの機能（ＷＷＷサーバ機能、ブラウザ機能）やＦＴＰを利用することで、手間／コストがかかることなく、様々な場所に多数設置されているショーケースをリモートで監視・制御することができるシステムを構築できる。
【図面の簡単な説明】
【図１】第１の実施例を説明する為のシステム構成図である。
【図２】電子メールの自動作成／送信について説明する為の図である。
【図３】図１のショーケースを公衆回線網に接続する場合の例を示す図である。
【図４】第２の実施例によるショーケースの構成の一例を示す図である。
【図５】ブラウザによる表示画面の一例を示す図である。
【図６】第３の実施例によるショーケースの構成の一例を示す図である。
【図７】ショーケース設定画面の一例を示す図である。
【図８】第４の実施例によるショーケースの構成の一例を示す図である。
【符号の説明】
１  ネットワーク
１ａ  公衆回線網
２  （外部の）情報処理装置
１０  冷凍・冷蔵ショーケース
１１  ネットワークインタフェース部
１２  制御部
１３  温度センサー
１４  圧力センサー
１５  風速センサー
２０  冷凍・冷蔵ショーケース
２１  ネットワークインタフェース部
２２  制御部
２３  温度センサー
２４  圧力センサー
２５  風速センサー
２６  Http Server部
３０  冷凍・冷蔵ショーケース
３１  ネットワークインタフェース部
３２  制御部
３３  Http Server部
３４  アクチュエータ
４０  ブラウザ画面（ショーケース設定画面）
５０  冷凍・冷蔵ショーケース
５１  ネットワークインタフェース部
５２  制御部
５３  温度センサー
５４  圧力センサー
５５  風速センサー
５６  アクチュエータ
５７  FTP Server部
【図１】
0003726535.tif 000002
【図２】
0003726535.tif 000003
【図３】
0003726535.tif 000004
【図４】
0003726535.tif 000005
【図５】
0003726535.tif 000006
【図６】
0003726535.tif 000007
【図７】
0003726535.tif 000008
【図８】
0003726535.tif 000009